(57)【要約】【課題】複数の居室空間を有する建築物において、冷房時や暖房時の熱エネルギー損失量が小さい換気構造を提供する。【解決手段】建築物Ｂ２の居室空間Ｒ２１〜Ｒ２４内の換気を行うための換気構造において、建築物Ｂ２の側面から前記各居室空間Ｒ２１〜Ｒ２４内に外気を供給する給気ルート（主給気ダクト２１、分岐給気ダクト２３）と、各居室空間Ｒ２１〜Ｒ２４内から建築物Ｂ２の側面へ空気を排出する排気ルート（排気チャンバ２２、分岐給気ダクト２４）と、給気ルートと排気ルートとがそれぞれ各居室空間Ｒ２１〜Ｒ２４内に接続される部分に設けられた熱交換器Ｔ２とを備える。【選択図】  図２
2004177085.tif 000002
【特許請求の範囲】
【請求項１】
建築物の居室空間内の換気を行うための換気構造であって、
前記建築物の側面から前記各居室空間に外気を供給する給気ルートと、
前記各居室空間から前記建築物の側面へ空気を排出する排気ルートと、
前記給気ルートと前記排気ルートとがそれぞれ前記各居室空間に接続される部分に設けられた熱交換器とが備えられていることを特徴とする換気構造。
【請求項２】
前記給気ルートは、前記建築物の互いに対向する一方の側面に設けられた給気口から他方の側面に設けられた給気口へと貫通するように配置された主給気ダクトと、この主給気ダクトと前記各居室空間とを連通する分岐給気ダクトとを備え、
前記排気ルートは、前記各居室空間に接続され前記分岐給気ダクトと熱交換器で接続された排気ダクトと、前記建築物の前記一方の側面と他方の側面とに設けられた排気口と、前記排気ダクトと前記排気口とを連通する排気チャンバとを備え、
前記給気口には、前記主給気ダクト内の空気が屋外に流出することを防止する逆流防止ダンパが備えられ、
前記排気口には、屋外から前記排気チャンバ内に空気が逆流するのを防止する逆流防止ダンパが備えられていることを特徴とする請求項１に記載の換気構造。
【請求項３】
前記給気口には、屋外から前記主給気ダクト内に流入する気流の風量を安定化する風量調整ダンパが備えられていることを特徴とする請求項２に記載の換気構造。
【請求項４】
前記主給気ダクト内に設けられ、この内部を通過する気流の風量を検知するセンサと、
前記センサにより検知された風量が所定値より小さい時に前記排気チャンバから前記の建築物の側面へと空気を排出させる排気ファンとが備えられていることを特徴とする請求項２又は３に記載の換気構造。
【発明の詳細な説明】
【０００１】
【発明の属する技術分野】
本発明は、複数の居室空間を有する建築物の換気構造に関する。
【０００２】
【従来の技術】
従来、集合住宅などの居室空間を有する建築物における換気構造としては、例えば特許文献１に記載された発明が案出されている。
図５に示すように、かかる発明の換気構造５では、主給気ダクト５１と主排気ダクト５２とが、建築物Ｂ５を水平方向に貫通するように設けられ、主給気ダクト５１の給気口５１ａ，５２ｂおよび主排気ダクト５２の排気口５２ａ，５２ｂが建築物Ｂ５の対向する二つの外壁にそれぞれ開口するようにして設けられている。
また、主給気ダクト５１から分岐した分岐給気ダクト５３と、主排気ダクト５２から分岐した分岐排気ダクト５４とが、居室空間Ｒ５１〜Ｒ５４と連通するように設けられている。
【０００３】
そして、風の方向に応じて給気口５１ａ又は５１ｂから主給気ダクト５１に外気が流入し、この外気が分岐給気ダクト５３を通じて居室空間１１１内に供給される。無風状態の時には、センサ５６がこれを検知し、ファン５８を作動させてダクト５７から主給気ダクト５１に外気を流入させる。
次いで、居室空間Ｒ５１〜Ｒ５４内の空気は、分岐排気ダクト５４に押し出されて主排気ダクト５２に流入し、排気口５２ｂ又は５２ａから屋外に排出される。
このようにして、自然風を利用して居室空間Ｒ５１〜Ｒ５４内の換気を行うようになっている。
【０００４】
しかし、この換気構造５では、外気を導入する側と室内の空気を排出する側とが互いに反対側になるため、図３に示す各居室空間Ｒ５１〜Ｒ５４の冷房や暖房を行う場合に、導入する外気と排出する室内空気との熱交換を行うことが困難であった。
【０００５】
また、図６に示すように、自然風を利用しない通常の換気構造６においては、各居室空間Ｒ６１〜Ｒ６４に主給気ダクト６１、分岐給気ダクト６３を通じて外気が供給されるとともに、Ｒ６１〜Ｒ６４の室内の空気が分岐排気ダクト６４、主排気ダクト６２を通じて屋外に排出される。
ここで、図３に示す各居室空間Ｒ６１〜Ｒ６４の冷房や暖房を行う場合に、導入する外気と排出する室内空気との熱交換は、主給気ダクト６１の給気口６１ａと主排気ダクト６２の排気口６２ａ付近に熱交換器Ｔ６を設けて、各居室空間Ｒ６１〜Ｒ６４の空気の熱交換をまとめて行うことが通例である。
【０００６】
【特許文献１】
特許２８９７８７３号公報（図１）
【０００７】
【発明が解決しようとする課題】
しかし、上記の換気構造５では、居室空間Ｒ５１〜Ｒ５４から排出される空気と居室空間Ｒ５１〜Ｒ５４に導入される外気との間で熱交換が行われないため、各居室空間Ｒ５１〜Ｒ５４において冷房や暖房を行う場合、熱エネルギー消費量に無駄が生じていた。
また、上記の換気構造６では、各居室空間Ｒ６１〜Ｒ６４の一部において冷房や暖房を行う場合に、各居室空間Ｒ６１〜Ｒ６４の空気の熱交換をまとめて行うことになるため、やはり熱エネルギー消費量に無駄が生じていた。例えば冷房や暖房を行った空気と行っていない空気を混合してから外気と熱交換しても、外気はそれほど冷やされされずまたは暖められない。
【０００８】
本発明の課題は、複数の居室空間を有する建築物において、冷房時や暖房時の熱エネルギー損失量が小さい換気構造を提供することである。
【０００９】
【課題を解決するための手段】
以上の課題を解決するため、請求項１に記載の発明は、例えば図１、図２に示すように、建築物Ｂ１，Ｂ２の居室空間Ｒ１１〜Ｒ１４，Ｒ２１〜Ｒ２４内の換気を行うための換気構造であって、
前記建築物Ｂ１，Ｂ２の側面から前記各居室空間Ｒ１１〜Ｒ１４，Ｒ２１〜Ｒ２４内に外気を供給する給気ルート（主給気ダクト１１，２１、分岐給気ダクト１３，２３）と、
前記各居室空間Ｒ１１〜Ｒ１４，Ｒ２１〜Ｒ２４内から前記建築物Ｂ１，Ｂ２の側面へ空気を排出する排気ルート（主排気ダクト１２、排気チャンバ２２、分岐給気ダクト１４，２４）と、
前記給気ルートと前記排気ルートとがそれぞれ前記各居室空間Ｒ１１〜Ｒ１４，Ｒ２１〜Ｒ２４内に接続される部分に設けられた熱交換器Ｔ１，Ｔ２とが備えられていることを特徴とする。
ここで、居室空間とは、一つの部屋から構成されたものであっても良く、互いに通気可能な二つ以上の部屋から構成されたものであっても良い。
また、居室空間とは、入居者が継続的に使用する部屋に限らず、建築物におけるあらゆる部屋を指すものとする。
【００１０】
請求項１に記載の発明によれば、給気ルートと排気ルートとがそれぞれ各居室空間内に接続される部分には、熱交換器が設けられているので、各居室空間に供給される外気とこの居室空間から排出される室内空気との間の熱交換を、各居室空間ごとに個別に行うことができる。
したがって、複数の居室空間を有する建築物において、一部の居室空間のみで冷房や暖房を行っても、熱エネルギー損失量が小さい換気構造となる。
【００１１】
請求項２に記載の発明は、例えば図２に示すように、請求項１に記載の換気構造２において、
前記給気ルートは、前記建築物Ｂ２の互いに対向する一方の側面Ｓ１に設けられた給気口２１ａから他方の側面Ｓ２に設けられた給気口２１ｂへと貫通するように配置された主給気ダクト２１と、この主給気ダクト２１と前記各居室空間Ｒ２１〜Ｒ２４とを連通する分岐給気ダクト２３とを備え、
前記排気ルートは、前記各居室空間Ｒ２１〜Ｒ２４に接続され前記分岐給気ダクト２３と熱交換器Ｔ２で接続された排気ダクト２４と、前記建築物Ｂ２の前記一方の側面Ｓ１と他方の側面Ｓ２とに設けられた排気口２２ａ，２２ｂと、前記排気ダクト２４と前記排気口２２ａ，２２ｂとを連通する排気チャンバ２２とを備え、
前記給気口２１ａ，２１ｂには、前記主給気ダクト２１内の空気が屋外に流出することを防止する逆流防止ダンパ（逆流防止・風量調整ダンパ）２５が備えられ、
前記排気口２２ａ，２２ｂには、屋外から前記排気チャンバ２２内に空気が逆流するのを防止する逆流防止ダンパ２６が備えられていることを特徴とする。
【００１２】
請求項２に記載の発明によれば、建築物周囲の風向きに応じて、風下側の給気口と風上側の排気口が閉じ、風上側の給気口から主給気ダクト、分岐給気ダクトを通じて外気が居室空間に流入する。この際、居室空間内に取り込まれる外気は、居室空間内から分岐排気ダクトへ排出される空気と熱交換される。
そして、分岐排気ダクトから排出された居室空間内の空気は、排気チャンバを通じて、風下側の排気口から排出される。
このようにして、複数の居室空間を有する建築物において、一部の居室空間のみで冷房や暖房を行っても、熱エネルギー損失量が小さい換気構造を、自然風を利用して実現できる。
【００１３】
請求項３に記載の発明は、例えば図２に示すように、請求項２に記載の換気構造２において、
前記給気口２１ａには、屋外から前記主給気ダクト２１内に流入する気流の風量を安定化する風量調整ダンパ（逆流防止・風量調整ダンパ）２５が備えられていることを特徴とする。
【００１４】
請求項３に記載の発明によれば、給気口に屋外から主給気ダクト内に流入する気流の風量を安定化する風量調整ダンパが備えられているので、自然風の風量が変化しても、居室空間の換気を安定的に行うことができる。
【００１５】
請求項４に記載の発明は、例えば図１、図２に示すように、請求項２又は３に記載の換気構造２において、前記主給気ダクト２１内に設けられ、この内部を通過する気流の風量を検知するセンサ２７と、
前記センサ２７により検知された風量が所定値より小さい時に前記排気チャンバ２２から前記の建築物の側面へと空気を排出させる排気ファン２８とが備えられていることを特徴とする。
【００１６】
請求項４に記載の発明によれば、センサにより主給気ダクト内を通過する気流の風量が所定値より小さいことが検知された時、すなわち居室空間を換気するのに十分な強さの自然風が吹いていない時には、排気ファンが作動し、居室空間の空気が分岐排気ダクト、排気チャンバを通じて建築物の外部へと排出されるとともに、主給気ダクト、分岐給気ダクトを通じて、建築物の外部から居室空間へと外気が誘引される。
したがって、自然風が弱い時や無風状態の時にも、居室空間の換気を適切に行うことができる。
【００１７】
【発明の実施の形態】
以下、図面を参照して、本発明の好適な実施の形態を具体的に説明する。
【００１８】
以下、第１及び第２の実施の形態の換気構造１，２は、図１に示すように、建築物Ｂ１，Ｂ２の各居室空間Ｒ１１〜Ｒ１４，Ｒ２１〜Ｒ２４の換気を行うため、これら各住戸の天井裏に設置されたものである。
ここで、居室空間Ｒ１１〜Ｒ１４，Ｒ２１〜Ｒ２４は、壁やドアなどで区画され、それぞれ個別に冷房や暖房を行うことが可能とされている。
【００１９】
〔第１の実施の形態〕
本実施の形態の換気構造１は、図１に示すように、建築物Ｂ１の側面から各居室空間Ｒ１１〜Ｒ１４内に外気を供給する給気ルート（主給気ダクト１１，２１、分岐給気ダクト１３，２３）と、各居室空間Ｒ１１〜Ｒ１４内から建築物Ｂ１の側面へ空気を排出する排気ルート（主排気ダクト１２、分岐排気ダクト１４）とを備えている。
そして、給気ファン１５により、外気が主給気ダクト１１内へと供給され、排気ファン１６により、主排気ダクト１２内の空気が屋外へ排出されるようになっている。
【００２０】
分岐給気ダクト１３と分岐排気ダクト１４とがそれぞれ各居室空間Ｒ１１〜Ｒ１４内に接続される部分には、熱交換器Ｔ１が設けられている。これにより、各居室空間Ｒ１１〜Ｒ１４に供給される外気とこの居室空間Ｒ１１〜Ｒ１４から排出される室内空気との間の熱交換を、各居室空間Ｒ１１〜Ｒ１４ごとに個別に行えるようになっている。
【００２１】
〔第２の実施の形態〕
本実施の形態の換気構造２は、図２に示すように、建築物Ｂ２の互いに対向する一方の側面（例えば北側の外壁面）Ｓ１に設けられた給気口２１ａから他方の側面（例えば南側の外壁面）Ｓ２に設けられた給気口２１ｂへと貫通するように配置された主給気ダクト２１と、この主給気ダクト２１と各居室空間Ｒ２１〜Ｒ２４とを連通する分岐給気ダクト２３とを備えている。
また、各居室空間Ｒ２１〜Ｒ２４には、それぞれ分岐給気ダクト２３と熱交換器Ｔ２で接続された排気ダクト２４が備えられ、この排気ダクト２４は、建築物Ｂ２の天井裏である排気チャンバ２２を通じて、建築物Ｂ２の側面Ｓ１，Ｓ２に設けられた排気口２２ａ，２２ｂに連通されている。
【００２２】
給気口２１ａ，２１ｂには、主給気ダクト２１内の空気が屋外に流出することを防止するとともに、屋外から主給気ダクト２１内に流入する外気の風量を安定化する逆流防止・風量調整ダンパ（逆流防止ダンパ、風量調整ダンパ）２５が備えられている。
また、排気口２２ａ，２２ｂにも、屋外から前記排気チャンバ２２内に空気が逆流するのを防止するために、逆流防止・風量調整ダンパ２５と同様に構成された逆流防止・風量調整ダンパ２６が備えられている。
【００２３】
また、主給気ダクト２１内には、この内部を通過する気流の風量を検知するセンサ２７が設けられている。
そして、上記排気チャンバ２２内には、センサ２７により検知された風量が所定値より小さい時にこの排気チャンバ２２から前記の建築物の側面へと空気を排出させる排気ファン２８が備えられている。
【００２４】
ここで、上記逆流防止・風量調整ダンパ２５（２６）について、図３、図４を参照して説明する。
逆流防止・風量調整ダンパ２５（２６）は、図３に示すように、円筒状の枠部材２５１、枠部材２５１の内径に対応して円板状に形成される主羽根２５２と、枠部材２５１の内径に対応して半円板状に形成される補助羽根２５４を備えている。
【００２５】
主羽根２５２は、枠部材２５１の軸心方向に直交する主羽根回動軸２５３を介して枠部材２５１の内部に取り付けられ、この主羽根回動軸２５３を中心に円滑に回動可能となっている。
枠部材２５１の上部内面には主羽根ストッパ２５７が設けられ、主羽根２５２が枠部材２５１の内部空間を閉塞する直前の時点で、図３、図４において主羽根２５２の時計回りの回動を規制するようになっている。
【００２６】
主羽根２５２の主羽根回動軸２５３より定常時の風向の風下側を上動作部２５２ａ、風上側を下動作部２５２ｂとする（図３、図４参照）と、上動作部２５２ａ側が下動作部２５２ｂ側よりもわずかに重くなるように、主羽根回動軸２５３は主羽根２５２の重心から僅かにずらした位置に設定されている。
したがって、主羽根２５２が風の抵抗をほとんど受けない無風時および小風量時の状態では、主羽根２５２が反時計回りに回動しようとするが、主羽根２５２がほぼ水平となる位置でこの回動を規制するように、枠部材２５１の内面には例えばビス等の微風量時ストッパ２５９が設けられている。
【００２７】
補助羽根２５４は、主羽根回動軸２５３とほぼ一致する補助羽根回動軸２５５を介して枠部材２５１の内部に取り付けられ、この補助羽根回動軸２５５を中心に円滑に回動可能となっている。
枠部材２５１の下部内面には補助羽根ストッパ２５８が設けられ、補助羽根２５４が枠部材２５１の内部空間のうち補助羽根回動軸２５５より下側部分を閉塞した状態で図２、図３における補助羽根２５４の反時計回りの回動を規制するようになっている。したがって、補助羽根２５４は補助羽根ストッパ２５８よりも左側の領域において円滑に回動可能となっている。
この補助羽根２５４は、ある一定値以上の風圧を右側から受けるまでは、補助羽根回動軸２５５から下に垂れ下がった状態になる。また、図３、図４において左側から風圧を受けても、補助羽根ストッパ２５８により回動を規制される。
【００２８】
上記の通り、無風時および小風量時の状態では上動作部２５２ａが下がるように、主羽根２５２の上動作部２５２ａは下動作部２５２ｂよりもわずかに重く設定されている。これは、主羽根２５２に対する主羽根回動軸２５３の位置をわずかに主羽根２５２の中心からずらすことにより実現しても良いし、あるいは上動作部２５２ａに図示しない重りを設けることにより実現しても良い。
【００２９】
このように構成された逆流防止・風量調整ダンパ２５（２６）の動作について、図４を参照して説明する。なお、ここでは、定常時の風向の風下側（図４中、右側）からの風を順気流、風上側（図４中、左側）からの風を逆気流と呼ぶ。また、風量の大きさについての記載は、順気流についてのものとする。
【００３０】
逆流防止・風量調整ダンパ２５（２６）内部の風量が無風・小風量の時には、主羽根２５２の上動作部２５２ａ側が下動作部２５２ｂ側よりも重いため、主羽根２５２が反時計回りに回動しようとするが、図４（ａ）に示すように、微風量時ストッパ２５９によって、この回動が規制され、主羽根２５２はほぼ水平となる。また、補助羽根２５４が補助羽根ストッパ２５８から離れる臨界気流量に達しておらず、補助羽根２５４は下に垂れた状態のままである。これにより、風は主羽根２５２の上部空間を吹き抜ける。
【００３１】
逆流防止・風量調整ダンパ２５（２６）内部が小風量から中風量の時には、補助羽根２５４がある値以上の風圧を右側から受けることになる。そして、補助羽根２５４が補助羽根ストッパー２５８から離れる臨界気流量に達すると、図４（ｂ）に示すように、補助羽根回動軸２５５を中心に補助羽根２５４が時計回りに回動して、補助羽根２５４と枠部材２５１の下部内面との間に隙間が生じる。これにより、風は主羽根２５２の上部空間および補助羽根５の下部空間を吹き抜ける。
また、図４（ｃ）に示すように、主羽根２５２の下面に形成された受風部２５６が補助羽根２５４によって押し上げられることにより、主羽根２５２は時計回りに回動する。
【００３２】
主羽根２５２が時計回りに回動して主羽根２５２の上動作部２５２ａが少し上に上がると、図４（ｃ）に示すように、枠部材２５１の内部において主羽根２５２の上部空間は右側から左側にかけて狭くなる。これにより、前記上部空間を通過する風の流速は右側から左側に向かうにつれて次第に大きくなり、上動作部２５２ａに下動作部２５２ｂに働く揚力よりも大きな揚力が作用する。
このように、逆流防止・風量調整ダンパ２５（２６）内部を流れる風量が増加して、前記揚力が主羽根２５２を回動させる臨界気流量に達し、すると主羽根２５２は時計回りに回動する。中気流量から大気流量に移行する段階になると、主羽根２５２は枠部材２５１を閉じる方向（時計回り）に回動する。
【００３３】
逆流防止・風量調整ダンパ２５（２６）内部を流れる風量がさらに増加すると、図４（ｄ）に示すように、主羽根２５２が時計回りに回動して主羽根ストッパ２５７にぶつかりそうになり、主羽根２５２の上下を通過する気流量が著しく少なくなる。すると、上動作部２５２ａ、下動作部２５２ｂが受ける揚力が小さくなるとともにこれら揚力差も小さくなり、主羽根２５２が少し反対側に回動して主羽根２５２の上下を通過する気流量がわずかに増加する。そして、再び上動作部２５２ａが揚力を受けて主羽根２５２が枠部材２５１を閉じる方向にわずかに回動して主羽根２５２の上下を通過する気流量が少なくなる。以後、徐々に減衰しながらこれらの動作が繰り返されて気流量が安定する。
【００３４】
逆気流の時には、図４（ｅ）に示するように、上動作部２５２ａの下部空間に風溜まりが生じ、上動作部２５２ａの下面が風圧を受けて上に上がり、最終的には図４（ｆ）に示されるように、主羽根２５２が主羽根ストッパ２５７に当接するまで時計回りに回動し、主羽根２５２、補助羽根２５４により枠部材２５１が閉塞される。よって、逆流防止・風量調整ダンパ２５（２６）内を通過する気流量がほぼゼロとなって逆流が防止される。
【００３５】
以上、第１及び第２の実施の形態に記載の換気構造１，２によれば、給気ルートと排気ルートとがそれぞれ各居室空間Ｒ１１〜Ｒ１４、Ｒ２１〜Ｒ２４内に接続される部分には、熱交換器Ｔ１，Ｔ２が設けられているので、各居室空間Ｒ１１〜Ｒ１４、Ｒ２１〜Ｒ２４に供給される外気とこの居室空間から排出される室内空気との間の熱交換を、各居室空間Ｒ１１〜Ｒ１４、Ｒ２１〜Ｒ２４ごとに個別に行うことができる。
したがって、複数の居室空間Ｒ１１〜Ｒ１４、Ｒ２１〜Ｒ２４を有する建築物Ｂ１，Ｂ２において、冷房時や暖房時の熱エネルギー損失量が小さい換気構造となる。
【００３６】
また、第２の実施の形態に記載の換気構造２によれば、建築物Ｂ２周囲の風向きに応じて、風下側の給気口２１ｂ（２１ａ）と風上側の排気口２２ａ（２２ｂ）が閉じ、風上側の給気口２１ａ（２１ｂ）から主給気ダクト２１、分岐給気ダクト２３を通じて外気が居室空間Ｒ２１〜Ｒ２４に流入する。この際、居室空間Ｒ２１〜Ｒ２４内に取り込まれる外気は、居室空間Ｒ２１〜Ｒ２４内から分岐排気ダクト２４へ排出される空気と熱交換される。
そして、分岐排気ダクト２４から排出された居室空間Ｒ２１〜Ｒ２４内の空気は、排気チャンバ２２を通じて、風下側の排気口２２ｂ（２２ａ）から排出される。
このようにして、複数の居室空間Ｒ２１〜Ｒ２４を有する建築物Ｂ２において、一部の居室空間Ｒ２１〜Ｒ２４のみで冷房や暖房を行っても、熱エネルギー損失量が小さい換気構造を、自然風を利用して実現できる。
【００３７】
また、給気口２１ａ，２１ｂに屋外から主給気ダクト２１内に流入する気流の風量を安定化する逆流防止・風量調整ダンパ２５が備えられているので、自然風の風量が変化しても、居室空間Ｒ２１〜Ｒ２４の換気を安定的に行うことができる。
【００３８】
また、センサ２７により主給気ダクト２１内を通過する気流の風量が所定値より小さいことが検知された時、すなわち居室空間Ｒ２１〜Ｒ２４を換気するのに十分な強さの自然風が吹いていない時には、排気ファン２８が作動し、居室空間Ｒ２１〜Ｒ２４の空気が分岐排気ダクト２４、排気チャンバ２２を通じて建築物Ｂ２の外部へと排出されるとともに、主給気ダクト２１、分岐給気ダクト２３を通じて、建築物Ｂ２の外部から居室空間Ｒ２１〜Ｒ２４へと外気が誘引される。
したがって、自然風が弱い時や無風状態の時にも、居室空間Ｒ２１〜Ｒ２４の換気を適切に行うことができる。
【００３９】
なお、本発明は、上記の実施の形態に限定されることなく、本発明の趣旨を逸脱しない範囲内において、種々の改良並びに設計の変更を行っても良い。
例えば、上記第２の実施の形態では、排気口２２ａ，２２ｂに逆流防止機能と風量調整機能とを併せ持つ逆流防止・風量調整ダンパ２６を設けているが、逆流防止機能のみを備えるダンパを設けても良い。
その他、具体的な細部構造等についても適宜に変更可能であることは勿論である。
【００４０】
【発明の効果】
請求項１に記載の発明によれば、給気ルートと排気ルートとがそれぞれ各居室空間内に接続される部分には、熱交換器が設けられているので、各居室空間に供給される外気とこの居室空間から排出される室内空気との間の熱交換を、各居室空間ごとに個別に行うことができる。
したがって、複数の居室空間を有する建築物において、冷房時や暖房時の熱エネルギー損失量が小さい換気構造となる。
【００４１】
請求項２に記載の発明によれば、建築物周囲の風向きに応じて、風下側の給気口と風上側の排気口が閉じ、風上側の給気口から主給気ダクト、分岐給気ダクトを通じて外気が居室空間に流入する。この際、居室空間内に取り込まれる外気は、居室空間内から分岐排気ダクトへ排出される空気と熱交換される。
そして、分岐排気ダクトから排出された居室空間内の空気は、排気チャンバを通じて、風下側の排気口から排出される。
したがって、複数の居室空間を有する建築物において、請求項１に記載の発明により得られる効果に加え、一部の居室空間のみで冷房や暖房を行っても、熱エネルギー損失量が小さい換気構造を、自然風を利用して実現できる。
【００４２】
請求項３に記載の発明によれば、給気口に屋外から主給気ダクト内に流入する気流の風量を安定化する風量調整ダンパが備えられているので、請求項２に記載の発明により得られる効果に加え、自然風の風量が変化しても、居室空間の換気を安定的に行うことができるといった利点が得られる。
【００４３】
請求項４に記載の発明によれば、センサにより主給気ダクト内を通過する気流の風量が所定値より小さいことが検知された時、すなわち居室空間を換気するのに十分な強さの自然風が吹いていない時には、排気ファンが作動し、居室空間の空気が分岐排気ダクト、排気チャンバを通じて建築物の外部へと排出されるとともに、主給気ダクト、分岐給気ダクトを通じて、建築物の外部から居室空間へと外気が誘引される。
したがって、請求項２又は３に記載の発明により得られる効果に加え、自然風が弱い時や無風状態の時にも、居室空間の換気を適切に行うことができるといった利点が得られる。
【図面の簡単な説明】
【図１】本発明に係る換気構造の一例を示す平面図である。
【図２】本発明に係る換気構造の他の一例を示す断面図である。
【図３】本発明に係る換気構造に用いられる逆流防止ダンパ、風量調整ダンパの一例を示す斜視図である。
【図４】本発明に係る換気構造に用いられる逆流防止ダンパ、風量調整ダンパの一例の動作を示す断面図である。
【図５】従来の換気構造の一例を示す断面図である。
【図６】従来の換気構造の他の一例を示す平面図である。
【符号の説明】
１，２      換気構造
１１，２１  主給気ダクト
１２        主排気ダクト
１３，２３  分岐給気ダクト
１４，２４  分岐排気ダクト
２２        排気チャンバ
２５，２６  逆流防止・風量調整ダンパ（逆流防止ダンパ、風量調整ダンパ）
２７        センサ
２８        排気ファン
Ｂ１，Ｂ２      建築物
Ｒ１１〜Ｒ１４，Ｒ２１〜Ｒ２４      居室空間
Ｓ１            （建築物の）一方の側面
Ｓ２            （建築物の）他方の側面
Ｔ１，Ｔ２      熱交換器
【図１】
2004177085.tif 000003
【図２】
2004177085.tif 000004
【図３】
2004177085.tif 000005
【図４】
2004177085.tif 000006
【図５】
2004177085.tif 000007
【図６】
2004177085.tif 000008